(57)【要約】【課題】大幅なコストアップを招くことなく庫内の商品を無料で供給することができるとともに無料で商品を供給したことを自動販売機の外観上から知ることができる自動販売機を提供する。【解決手段】前面が開口した庫内に商品を収容した本体キャビネット１０、この本体キャビネット１０の前面開口を開閉する外扉２０、この外扉２０を本体キャビネット１０にロックするロック装置１を備えた自動販売機であって、前記外扉２０に商品の払い出しを可能とするフリーベンドボタン３、および前記フリーベンドボタン３が操作された形跡を残す蓋体２を設け、蓋体２を割ってフリーベンドボタン３を操作することにより商品を払い出すことができ、震災などの非常時にはこの自動販売機を飲料供給源として使用することができる。また、フリーベンドボタン３の操作時には蓋体２が割られてその痕跡が残ることから自動販売機の外観上からフリーベンドボタン３が操作されたことを知ることができる。【選択図】図１
2008112346.tif 000002
【特許請求の範囲】
【請求項１】
前面が開口した庫内に商品を収容した本体キャビネットと、この本体キャビネットの前面開口を開閉する外扉と、この外扉を本体キャビネットにロックするロック装置とを備えた自動販売機において、前記外扉に商品の払い出しを可能とするフリーベンド操作手段、および前記フリーベンド操作手段が操作された形跡を残す操作痕形成手段を設けたことを特徴とする自動販売機。
【請求項２】
請求項１に記載の自動販売機において、予備電源装置を内蔵し、常時は商用電源からの電力が供給され、商用電源の停止時には予備電源装置からフリーベンドに必要な箇所にのみ電力が供給されるものであることを特徴とする自動販売機。
【請求項３】
請求項１または請求項２に記載の自動販売機において、フリーベンド操作手段がフリーベンド釦であり、操作痕形成手段が前記フリーベンド釦の前面を覆うとともにフリーベンド釦を透視可能で、かつ、フリーベンド釦操作時に破壊される覆蓋であることを特徴とする自動販売機。
【請求項４】
請求項３に記載の自動販売機において、覆蓋が透明なアクリル樹脂からなることを特徴とする自動販売機。
【請求項５】
請求項３または請求項４に記載の自動販売機において、覆蓋が透明なアクリル樹脂からなることを特徴とする自動販売機。
【請求項６】
請求項３〜請求項５のいずれかに記載の自動販売機において、蓋体にはフリーベンドボタンに対応する部分とその外周域との間にスリットが形成され、両者間をジョイントで連結してなることを特徴とする自動販売機。
【発明の詳細な説明】
【技術分野】
【０００１】
この発明は、庫内に飲料や食料などの商品を内蔵し、購入者が代金を投入して希望する商品を選択すると庫内に収容した商品を販売する自動販売機にかかり、特に、震災などの非常時に庫内に収容した商品を無料で供給できるようにした災害対策用の自動販売機に関する。
【背景技術】
【０００２】
清涼飲料などを販売する飲料自動販売機は全国の津々浦々まで普及している。図６はこの種の清涼飲料自動販売機として一般的な缶入り飲料，ペットボトル入り飲料などの商品を販売する自動販売機の構成を斜視図である。
図に示すように、この自動販売機は、前面が開放した断熱筐体として形成された本体キャビネット１０と、本体キャビネット１０の前面に開閉可能に支持された外扉２０とからなる。本体キャビネット１０における商品収納庫の前面は開閉可能な断熱内扉３０によって閉塞されている。本体キャビネット１０の庫内には、断熱仕切壁により左右方向に複数の商品収納室に区分され、各商品収納室は、缶入り飲料、ペットボトル入り飲料などの商品を収納するとともにその下端に商品選択ボタンの操作により商品を搬出する商品払出機構を有する商品収納ラックが収設され、また、各商品収納室の下部には、当該各商品収納室を冷却もしくは加熱して商品収納ラックに収容した商品を冷蔵・温蔵状態に保存する冷却／加熱ユニットが配設されている。
【０００３】
前記外扉２０の前面の上部域は透明板４０で覆われ、この透明板４０と外扉２０に開閉可能に軸支された中扉６０との間の空間がディスプレイ室５０として形成されている。前記中扉６０の前面には、本体キャビネット１０の庫内に収容した商品に対応した複数の商品見本８０を左右に一列に並べて載置したディスプレイ台７０が上下方向に３段取付けられている。前記透明板４０には、各ディスプレイ台７０と対峙する位置に商品選択ボタンユニット９０が設けられ、商品選択ボタンユニット９０は、ディスプレイ台７０に載置された各商品見本８０に対応して左右に一列に並べて設けた商品選択ボタン（不図示）を有している。前記商品選択ボタンには売り切れランプおよび販売可能ランプが内蔵されている。さらに、前記外扉２０の前面には硬貨投入部２１の投入口、紙幣投入部２２の投入口、釣銭返却部２３の返却口、商品取出口２４に加え、不図示の返却レバーおよびロック付ハンドル（ロック装置）などが設けられている。また、前記外扉２０の背面には硬貨投入部２１の投入口に連通したコインメカニズム２５、このコインメカニズム２５に連通した金庫２６、紙幣投入分２２の投入口に連通した紙幣識別装置２７（以下、ビルバリデータという）などが設けられている。なお、ディスプレイ室５０には商品サンプル８０などを明るく照らす蛍光灯（不図示）が配設されている。
【０００４】
かかる自動販売機はキー操作によりロック付ハンドル（ロック装置）を鎖錠して外扉２０を閉じた状態で商用電源からの電力供給を受けてディスプレイ室５０内の蛍光灯を点灯制御して商品サンプル８０などを明るく照らし出すとともに冷却／加熱ユニットを運転制御して庫内の商品を冷却／加熱する。硬貨または紙幣が投入されるとコインメカニズム２５またはビルバリデータ２７で識別して投入金額を積算するととともにこの投入金額と商品価格とを比較して商品選択ボタンの販売可能ランプを点灯制御する。商品選択ボタンが操作されると選択された商品価格と投入金額とを演算して商品収納ラックに搭載された商品払出機構に販売信号を供給する。この販売信号に基づいて商品収納ラックに搭載された商品払出機構はソレノイドの励磁・釈放動作により商品収納ラックに収納した商品を１個づつ搬出する。
【０００５】
前述したように自動販売機は商用電源からの電力供給を受けて運転制御を行うように構成されており、また、外扉２０はキー操作によりロック付ハンドル（ロック装置）を鎖錠・開錠して開閉するように構成されている。ところで、震災などの非常時にライフラインが停止した場合には自動販売機の販売制御も停止する。しかしながら、自動販売機の庫内には缶入り飲料，ペットボトル入り飲料などの清涼飲料（商品）が収容されていることから、震災などの非常時にこれを飲料供給源として提供すれば自動販売機が非常時の食品供給拠点として役立つ。このような災害対策用の自動販売機は既に知られており、その一つが商用電源の停止時に外扉を開放するものである。これは、ロック装置を常時においては商用電源により外扉を閉位置にロックする状態とし、商用電源の停止時にはそのロックを解除するように作動する自動ロック装置とし、商用電源が停止した非常時には外扉のロック装置を解除して外扉を開放可能とし、庫内の商品を自由に取出せるようにしたものである（例えば、特許文献１）。また、商用電源の停止時にも外扉を開放することなく庫内の清涼飲料を供給するものも提案されている。これは、機内に予備電源装置（例えば、バッテリー）を搭載し、商用電源の停止を検出して災害運転モードに移行し、予備電源装置から販売動作に必要な箇所にのみ電力を供給して販売可能ランプを点灯させ、商品選択ボタンの操作により商品払出機構を動作させて商品を無料で供給するようにしたものである（例えば、特許文献２）。
【０００６】
【特許文献１】特開２０００−１２３２２８号公報
【特許文献２】特開２０００−１３２７３７号公報
【発明の開示】
【発明が解決しようとする課題】
【０００７】
ところで、自動販売機における外扉の背面にはコインメカニズム２５やビルバリデータ２７などの貨幣処理機構および金庫２６などが配設されている。従って、特許文献１に代表されるように商用電源の停止時に外扉を開放可能とした自動販売機においては外扉開放時に貨幣処理機構や金庫が露出してしまうことから盗難のおそれがあり、貨幣処理機構や金庫に盗難防止の手段を施さねばならない。かかる点特許文献２に代表されるように商用電源の停止時には外扉を開放することなく無料で清涼飲料を供給するものでは前述した問題点を解決することができる。しかしながら、この場合には自動販売機の電源コードのプラグを故意に抜き取って商用電源の停止状態とし、これによって商品を詐取した後、電源コードのプラグをコンセントに接続すると自動販売機は何事もなかったように通常の販売状態に戻ってしまう。このため、故意に商品が詐取された場合にもその行為が自動販売機の外観上からは分からないために、悪戯が頻繁に行われるおそれがある。また、商用電源の停止時に外扉を開放することなく庫内の清涼飲料を取出せるようにするため、キー操作により開閉する小扉を外扉に設け、かつ、手動で商品払出機構を動作する手動操作機構を付加し、この手動操作機構の操作端が前記小扉に臨むようにすることもできる。しかしながら、この場合には自動販売機の構造自体を大幅に変更しなければならないことからコスト高となるという問題を有する。さらに、震災などの非常時にも商用電源が活きていることが考えられるが、商用電源が活きている状態で自動販売機の庫内に収容された清涼飲料を無料で供給する自動販売機は出現していない。
【０００８】
本発明は上記の点に鑑みなされたものであり、その目的は前記課題を解決し、大幅なコストアップを招くことなく庫内の商品を無料で供給することができるとともに無料で商品を供給したことを自動販売機の外観上から知ることができる自動販売機を提供することにある。
【課題を解決するための手段】
【０００９】
上記目的を達成するために請求項１に係る発明は、前面が開口した庫内に商品を収容した本体キャビネットと、この本体キャビネットの前面開口を開閉する外扉と、この外扉を本体キャビネットにロックするロック装置とを備えた自動販売機において、前記外扉に商品の払い出しを可能とするフリーベンド操作手段、および前記フリーベンド操作手段が操作された形跡を残す操作痕形成手段を設けたことを特徴とする。
【００１０】
また、請求項２に係る発明は請求項１の自動販売機において、予備電源装置を内蔵し、常時は商用電源から電力が供給され、商用電源の停止時には予備電源装置からフリーベンドに必要な箇所にのみ電力が供給されるものであることを特徴とする。また、請求項３に係る発明は請求項１または請求項２の自動販売機において、フリーベンド操作手段がフリーベンドボタンであり、操作痕形成手段が前記フリーベンドボタンの前面を覆うとともにフリーベンドボタンを透視可能で、かつ、フリーベンドボタン操作時に破壊される蓋体であることを特徴とする。また、請求項４に係る発明は請求項３の自動販売機において、蓋体が透明なアクリル樹脂からなることを特徴とする。さらに、請求項５に係る発明は請求項３または請求項４の自動販売機において、蓋体には防水シートが貼着されていることを特徴とする。そして、請求項６に係る発明は請求項３〜請求項５の自動販売機において、蓋体にはフリーベンドボタンに対応する部分とその外周域との間にスリットが形成され、両者間をジョイントで連結してなることを特徴とする。
【発明の効果】
【００１１】
前述した請求項１に係る発明によれば、前面が開口した庫内に商品を収容した本体キャビネットと、この本体キャビネットの前面開口を開閉する外扉と、この外扉を本体キャビネットにロックするロック装置とを備えた自動販売機において、前記外扉に商品の払い出しを可能とするフリーベンド操作手段、および前記フリーベンド操作手段が操作された形跡を残す操作痕形成手段を設けたことにより、ロック装置によって外扉を本体キャビネットにロックした状態のままで、フリーベンド操作手段が操作されると商品の払い出しを可能とする、例えば商品選択ボタンの販売可能ランプを点灯させて商品選択ボタンの操作により対応する商品の払出しを可能とし、また、フリーベンド操作手段が操作された形跡を残す操作痕形成手段によってフリーベンド操作手段が操作された痕跡を残すことから故意によりフリーベンド操作手段が操作された場合にもその故意による詐取を自動販売機の外観から視認することができる。
【００１２】
また、請求項２に係る発明によれば請求項１の自動販売機において、予備電源装置を内蔵し、常時は商用電源から電力が供給され、商用電源の停止時には予備電源装置からフリーベンドに必要な箇所に電力が供給されるものとすることによって、震災などの非常時にライフラインが停止した場合にも予備電源装置からの電力を供給し、フリーベンド操作手段が操作された際に商品を払い出すことができる。また、請求項３に係る発明によれば請求項１または請求項２の自動販売機において、フリーベンド操作手段をフリーベンドボタンとし、操作痕形成手段を前記フリーベンドボタンの全面を覆うとともにフリーベンドボタンを透視可能で、かつ、フリーベンドボタン操作時に破壊される蓋体とすることにより、フリーベンドボタンを操作するには蓋体を破壊せねばならないことからフリーベンドボタンが操作されたことを破壊した蓋体によって知ることができる。また、請求項３に係る発明によれば請求項３の自動販売機において、蓋体を透明なアクリル樹脂により形成することにより、蓋体を簡単かつ容易に製作することができる。さらに、請求項５に係る発明によれば請求項３または請求項４の自動販売機において、蓋体に防水シートを貼着することにより、防水機能は勿論のこと蓋体を手で破壊した場合にも怪我をするおそれをなくすことができる。そして、請求項６に係る発明によれば請求項３〜請求項５の自動販売機において、蓋体にはフリーベンドボタンに対応する部分とその外周域との間にスリットが形成され、両者間をジョイントで連結してなることにより、蓋体の破壊を容易にするとともに破壊された蓋体の破片による怪我をなくすことができる。
【発明を実施するための最良の形態】
【００１３】
以下、本発明の実施の形態を図１〜図５に示す実施例に基づいて説明する。なお、実施例の図中で図６に対応する部材には同じ符号を付している。
図１は缶入り飲料，ペットボトル入り飲料などの商品を販売する自動販売機の正面図であり、図において、１０は断熱材で囲まれた庫内に缶飲料などの商品を収容した本体キャビネットであり、本体キャビネット１０の庫内には、断熱仕切壁により左右方向に複数の商品収納室に区分され、各商品収納室には、缶入り飲料、ペットボトル入り飲料などの商品を収納するとともにその下端に商品選択ボタンの操作により商品を搬出する商品払出機構を有する商品収納ラックが収設され、また、各商品収納室の下部には、当該各商品収納室を冷却もしくは加熱して商品収納ラックに収納した商品を冷蔵・温蔵状態に保存する冷却／加熱ユニットが配設されている。２０は本体キャビネット１０の前面にヒンジ２０ａにより開閉自在に装着された外扉である。この外扉２０の前面の上部域は透明板４０で覆われたディスプレイ室５０として形成されている。このディスプレイ室５０には本体キャビネット１０の庫内に収容した商品に対応した複数の商品見本８０を左右に一列に並べて載置したディスプレイ台７０が上下方向に３段取付けられている。前記透明板４０には、各ディスプレイ台７０と対峙する位置に商品選択ボタンユニット９０が設けられ、商品選択ボタンユニット９０は、ディスプレイ台７０に載置された各商品見本８０に対応して左右に一列に並べて設けた商品選択ボタン９０aを有している。この商品選択ボタン９０aには不図示の売り切れランプや販売可能ランプが内蔵されている。
【００１４】
前記外扉２０の前面には操作パネルＰが設けられ、この操作パネルＰには硬貨投入口２１ａ、紙幣投入口２２ａ、釣銭返却口２３ａ、商品取出口２４、返却レバー２５、シリンダー錠付きのロック装置１および後述するフリーベンドボタンを覆う蓋体（操作痕形成手段）２が組付けられている。そして、前記本体キャビネット１０の前面を閉塞するように外扉２０を閉じた状態においてロック装置１を施錠することにより外扉２０が閉位置から開かないようにロックされる。なお、本体キャビネット１０の機内には商用電源の停止時にも商品を無料で供給するための電源となる予備電源装置（無停電電源装置）が配設されている。商用電源の停止時に予備電源装置（無停電電源装置）への切換えを行う方法については後述することとし、この発明にかかるフリーベンドボタン（フリーベンド操作手段）および蓋体（操作痕形成手段）２について次に説明する。
【００１５】
図２はフリーベンドボタン（フリーベンド操作手段）および蓋体（操作痕形成手段）を示し、（ａ）はその組立斜視図、（ｂ）はその分解斜視図である。
図２において、２で再び蓋体を示し、３はフリーベンドボタン、４はフリーベンドボタン３の取付金具、５は目隠し板、６は取付金具本体、７は防水シート、８は樋である。前記フリーベンドボタン３は押しボタンにより構成され、ボタントップを押し込むことにより接点（スイッチ）がオンするものである。このフリーベンドボタン３の取付金具４はフリーベンドボタン３のボタントップが露出するように開口４１を有するとともに上下両端を折り曲げて固定片４２，４２が形成されている。目隠し板５は取付金具４の開口４１と対向する位置にフリーベンドボタン３が臨むように穿孔された透視窓５１を有し、左右両端を折り曲げて固定片５２，５２が形成されている。取付金具本体６は中央にフリーベンドボタン３よりも大きな開口部６１を有し、左右側壁にはそれぞれ係合片６２，６２が形成されるとともに下壁にも係合片６３が形成され、さらに上下両端には固定片６４，６４が形成されている。また、蓋体２はアクリル樹脂により四角形状の薄板として形成されている。前記蓋体２は、フリーベンドボタン３に対応する領域２２とその外周域２３とに分離するスリット２１が形成され、領域２２と外周域２３とは２箇所のジョイント２４により連結されている。さらに、図４に示すように、蓋体２は左右対辺を切欠いて係合凹部２５，２５が形成されるとともに嵌合孔２６が開けられている。そして、防水シート７は透明なフィルムからなるとともに蓋体２の前面を覆うように四角形状に形成され、中央にミシン目７１が形成されている。このミシン目７１の径は図４に示すように蓋体２のスリット２１の径よりも小さく形成されている。
【００１６】
図２、図３に示すフリーベンドボタン３および蓋体２の組立は、まず、フリーベンドボタン３のボタントップが取付金具４の開口４１から露出するように当該取付金具４に組付ける。取付金具本体６の後方からは開口部６１を塞ぐように目隠し板５が装着され、目隠し板５における左右両端の固定片５２，５２を取付金具本体６にねじ止めする。そして、フリーベンドボタン３が組付けられた取付金具４を目隠し板５が装着された取付金具本体６の後方から組付ける。この場合、取付金具４の上下両端の固定片４２，４２を取付金具本体６にねじ止めすることにより取付金具４およびフリーベンドボタン３が取付金具本体６に一体的に固着される。一方、取付金具本体６の前方からは蓋体２が組付けられる。この場合、蓋体２の嵌合孔２６を取付金具本体６の係合片６３に嵌合させるとともに左右対辺に形成された係合凹部２５，２５を取付金具本体６の係合片６２，６２に係合させることにより蓋体２は取付金具本体６に一体的に取付けられる。そして、蓋体２の前面に防水シート７を貼着する。最後に取付金具本体６に樋８を固着して組立が完了する。
【００１７】
前述したように組立られたフリーベンドボタン３および蓋体２の組立体は外扉２０（図１参照）に固着される。この場合、外扉２０における前記組立体が固着される部位には四角形状の窓Ｗ（図１参照）が形成されている。この窓Ｗに対して外扉２０の背面側からフリーベンドボタン３および蓋体２の組立体を組付ける。その組付けは取付金具本体６の上下両端に形成した固定片６４，６４を外扉２０にねじ止めすることにより組付けられる。この場合、窓Ｗからは図４に示す一点鎖線の内側領域が覗いている。つまり、図４に示す一点鎖線が窓Ｗの縁を示している。
【００１８】
かかる構成の自動販売機において、外扉２０の窓Ｗから図４に示す一点鎖線の内側領域が露出している。そして、図４に示す一点鎖線の内側領域からは防水シート７および蓋体２を介してフリーベンドボタン３のボタントップ（例えば、赤色）が透視可能である。この状態で窓Ｗの前方から蓋体２の領域２２を指または工具で押圧すると蓋体２の領域２２と外周域２３を接続するジョイント２４が切断される。この場合、防水シート７にはミシン目７１が形成されているので防水シート７はミシン目に沿って容易に破れる。前記蓋体２の領域２２が分離されるとフリーベンドボタン３のボタントップが露出するのでフリーベンドボタン３のボタントップを押し込むことによりフリーベンドボタン３が作動する。このようにフリーベンドボタン３が操作された場合には防水シート７がミシン目に沿って破れるとともに蓋体２の領域２２が分離される。したがって、フリーベンドボタン３を操作したことの痕跡が防水シート７および蓋体２に形跡される。
【００１９】
次に、この発明の実施の形態にかかる自動販売機の機内給電系統について、図５に示す自動販売機の要部を概略的に示すブロック図を用いて説明する。図において、９１は商用電源（ＡＣ１００Ｖ）、９２は照明灯（蛍光灯）、９３は冷却／加熱ユニット、９４販売制御部（コインメカニズム，ビルバリデータからの投入金額を商品の販売価格と比較して商品選択ボタンの販売可能ランプを点灯させたり、商品選択ボタンからの選択信号を受信して販売信号を送出する制御部）、９５は商品払出機構（販売信号に基づいて商品収納ラックから商品を払い出す例えばソレノイド駆動式の商品払出機構）、９６はバッテリーを内蔵し、商用電源９１の停電時には販売制御部９４および商品払出機構９５に電力を供給する予備電源装置としての無停電電源装置（ＵＰＳ）、９７はオフディレータイマであり、このオフディレータイマ９７の動作により瞬時に作動する常開接点を９７ａで示している。３ａは前記フリーベンドボタン３の常開接点であり、この常開接点３ａは無停電電源装置９６と販売制御部９４，商品払出機構９５との間に接続されている。なお、販売制御部９４は図示は省略しているが、ＡＣ／ＤＣ変換器を介して商用電源９１に接続され、ＡＣ／ＤＣ変換器からのＤＣ２４ＶおよびＤＣ８Ｖの直流出力電圧により駆動されるものである。
【００２０】
この自動販売機は、図５のブロック図に示すように、照明灯９２，冷却／加熱ユニット９３，販売制御部９４および商品払出機構９５が商用電源９１に接続され、常時は商用電源９１からの電力供給を受けて稼動している。かかる状態では商用電源９１からの電力供給を受けて照明灯（蛍光灯）を点灯制御して商品サンプル８０（図１参照）などを明るく照らし出すとともに冷却／加熱ユニット９３を運転制御して庫内の商品を冷却／加熱し、硬貨または紙幣が投入されるとコインメカニズム２５またはビルバリデータ２７で識別して投入金額を積算するととともにこの投入金額と商品価格とを比較して商品選択ボタン９０ａの販売可能ランプを点灯制御し、商品選択ボタン９０ａが操作されると選択された商品価格と投入金額とを演算して商品収納ラックに搭載された商品払出機構９５に販売信号を供給して商品を１個づつ搬出し、釣銭が必要な場合には釣銭を払い出す。
【００２１】
ここで、自動販売機に電力を供給している商用電源９１が停止（震災や電源コードの抜き取り）するとオフディレータイマ９７が動作してその常開接点９７ａが瞬時に作動して無停電電源装置９６から販売制御部９４および商品払出機構９５への電力の供給を可能な状態とする。しかしながら、無停電電源装置９６と販売制御部９４および商品払出機構９５との間にはフリーベンドボタン３の常開接点３ａが挿入されているので、フリーベンドボタン３が操作されない限り無停電電源装置９６から販売制御部９４および商品払出機構９５に電力は供給されない。したがって、自動販売機の電源コード（プラグ）が故意に抜き取られて商用電源の停止状態にされてしまったとしても直ちに商品が搬出されることはない。
【００２２】
一方、この自動販売機を非常時の飲料供給源として使用する場合（商用電源９１の停止時）にはフリーベンドボタン３を操作する。この場合、フリーベンドボタン３は自動販売機の前面に設けられているので外扉２０を開けることなく誰でも操作できる。フリーベンドボタン３が操作されるとその常開接点３ａが閉じ、これにより無停電電源装置９６からオフディレータイマ９７の常開接点９７ａ，常開接点３ａを介して販売制御部９４および商品払出機構９５に電力が供給される。
ここで、この実施の形態におけるフリーベンドとはフリーベンドボタン３が操作されることにより商品選択ボタン９０ａ（図１参照）の販売可能ランプを全て点灯させ、商品選択ボタン９０ａが操作される都度対応する商品搬出機構９５を動作させて商品を払い出すことを意味している。したがって、非常時（商用電源９１の停止時）にはフリーベンドボタン３を操作することにより庫内の商品を払い出すことができるので、この自動販売機を飲料供給源として活用することができる。
【００２３】
前述した実施の形態ではフリーベンドとはフリーベンドボタン３が操作されることにより商品選択ボタン９０ａ（図１参照）の販売可能ランプを全て点灯させて商品の搬出を可能としたものについて説明したが、これに限定されるものではなく、例えば、表示器に商品選択ボタンの操作により商品が搬出される旨の表示を行うこともできる。
【００２４】
前述したようにこの発明の実施の形態によれば、前面が開口した庫内に商品を収容した本体キャビネット１０と、この本体キャビネット１０の前面開口を開閉する外扉２０と、この外扉２０を本体キャビネット１０にロックするロック装置１とを備えた自動販売機において、前記外扉２０に商品の販売を可能とするフリーベンドボタン３（フリーベンド操作手段）、および前記フリーベンドボタン３が操作された形跡を残す蓋体２（操作痕形成手段）を設け、また、予備電源装置９６を内蔵し、常時は商用電源９１から電力が供給され、商用電源９１の停止時には予備電源装置９６からフリーベンドに必要な箇所にのみ電力が供給されることにより、蓋体２を割ってフリーベンドボタン３を操作することにより商品を払い出すことが可能となり、震災などの非常時（商用電源９１の停止時）にはこの自動販売機を飲料供給源として使用することができる。また、自動販売機の電源コード（プラグ）を故意に抜き取って商用電源を停止状態として商品を只取りする悪戯にも対してもフリーベンドボタン３が操作されたことの痕跡が蓋体２に形跡として残ることから自動販売機の外観上から悪戯を知ることができる。
【００２５】
なお、前述した実施の形態では非常時に商用電源９１が停止した場合について説明したが、震災などの発生時に必ずしも商用電源９１が停止するとは限らず、また、予備電源装置９６にはバッテリー容量により使用時間が限られることから、図４に点線で示すように販売制御部９４にフリーベンドボタン３を接続し、商用電源９１が活きている場合にもフリーベンドボタン３の操作によりフリーベンドを行うようにすることもできる。この場合、故意にフリーベンドボタン３が操作されることが考えられる。しかしながら、故意にフリーベンドボタン３が操作された場合にも、前述した実施の形態と同様に、フリーベンドボタン３が操作されたことの痕跡が蓋体２に形跡として残る。したがって、自動販売機の外観上から故意にフリーベンドボタン３が操作されたことを直ちに知ることができるので、故意による詐取が継続して行われるのを防止することができる。
【図面の簡単な説明】
【００２６】
【図１】本発明の実施の形態にかかる自動販売機を示す正面図である。
【図２】図１におけるフリーベンドボタンと蓋体の組立体を示す組立斜視図である。
【図３】図１におけるフリーベンドボタンと蓋体の組立体を示す分解斜視図である。
【図４】図２および図３における蓋体および防水シートを示す正面図である。
【図５】この発明の実施の形態にかかる自動販売機の機内給電系統を示すブロック図である。
【図６】清涼飲料を販売する一般的な自動販売機の構成を示す斜視図である。
【符号の説明】
【００２７】
１    ロック装置
２    蓋体
３    フリーベンドボタン
７    防水シート
１０    本体キャビネット
２０    外扉
２１    スリット
２２    フリーベンドボタン対応領域
２３    外周領域
２４    ジョイント
７１    スリット
９４    販売制御部
９５    商品払出機構
９６    予備電源装置（無停電電源装置）
【図１】
2008112346.tif 000003
【図２】
2008112346.tif 000004
【図３】
2008112346.tif 000005
【図４】
2008112346.tif 000006
【図５】
2008112346.tif 000007
【図６】
2008112346.tif 000008